(57)【要約】【課題】  外壁材にガラスを用いた建築物やガラスにより構成された窓において、日光が入射することにより室温の上昇を抑えて空調のコストを抑えることができるとともに、室内温度が外気温の影響を受けにくくでき、さらには、日光により従来とは趣の異なった採光を行うことができる建築部材を提供する。【解決手段】  建築部材Ａ１は、ガラス部１０と、ガラス部２０と、ガラス部１０とガラス部２０間に配設されたタイル４０とを有し、タイル４０は、ガラス部１０とガラス部２０とを連結する連結部３０、３２等により支持されている。タイル４０は、透光性を有していて、建築部材Ａ１の一方の面に照射された光は、ガラス部１０とタイル４０とガラス部２０とを透過して他方の面に至る。【選択図】        図３
2006249692.tif 000002
【特許請求の範囲】
【請求項１】
建築部材であって、
板状のガラスにより形成された第１ガラス部と、
板状のガラスにより形成された第２ガラス部と、
該第１ガラス部と該第２ガラス部間に設けられたタイルで、透光性を有するタイルにより構成されたタイル部と、
を有することを特徴とする建築部材。
【請求項２】
第１ガラス部と第２ガラス部の間には、第１ガラスと第２ガラス部とを連結するとともに、上記タイルを支持するための連結部が設けられていることを特徴とする請求項１に記載の建築部材。
【請求項３】
上記タイルと上記第１ガラスの間には所定の隙間が形成され、上記タイルと上記第２ガラスの間には所定の隙間が形成されていることを特徴とする請求項１又は２に記載の建築部材。
【請求項４】
上記連結部が断面略コ字状又は断面略Ｈ状を呈して溝部を有し、タイルを建築部材の側方からスライドさせることにより、タイルを該溝部内に配設可能となっていることを特徴とする請求項１又は２又は３に記載の建築部材。
【請求項５】
上記タイルの一方の面に第１ガラス部が固着され、また、上記タイルの他方の面に第２ガラス部が固着されていることを特徴とする請求項１に記載の建築部材。
【請求項６】
建築部材であって、
板状のガラスにより形成されたガラス部と、
該ガラス部の一方の面に設けられたタイルで、透光性を有するタイルにより構成されたタイル部と、
を有することを特徴とする建築部材。
【請求項７】
上記タイル部は、複数の板状のタイルにより構成されていることを特徴とする請求項１又は２又は３又は４又は５又は６に記載の建築部材。
【請求項８】
上記複数のタイルが、色彩及び／又は模様の異なるタイルにより構成されていることを特徴とする請求項７に記載の建築部材。
【請求項９】
上記タイル部を構成する複数のタイルにおいて、隣接するタイルは隙間なく配設され、建築部材の一方の面から照射された光で他方の面側に至った光は、タイルを透過したものであることを特徴とする請求項１又は２又は３又は４又は５又は６又は７又は８に記載の建築部材。
【請求項１０】
上記タイル部を構成する複数のタイルにおいて、隣接するタイル間に隙間が形成され、建築部材の一方の面から照射された光で他方の面側に至った光は、タイルを透過したものとタイルを透過しないものがあることを特徴とする請求項１又は２又は３又は４又は５又は６又は７又は８に記載の建築部材。
【請求項１１】
建築物であって、
請求項１又は２又は３又は４又は５又は６又は７又は８又は９又は１０に記載の建築部材が外壁材又は窓材に用いられていることを特徴とする建築物。
【発明の詳細な説明】
【技術分野】
【０００１】
本発明は、建築部材に関するものであり、特に、外壁や窓等に用いる建築部材に関するものである。
【背景技術】
【０００２】
従来より、外壁材としてガラスを用いた建築物が存在する。例えば、外壁の全面がガラスで覆われたビルディング等が存在する。また、建築物には、窓が存在し、その窓には、ガラスが設けられているのが通常である。
【０００３】
なお、出願人は、先行技術文献として、特許文献１に示す文献や、特許文献２に示す文献を知得している。
【特許文献１】実開昭６３−８５７１６号公報
【特許文献２】実開昭６２−１５５１５０号公報
【発明の開示】
【発明が解決しようとする課題】
【０００４】
しかし、外壁材にガラスを用いた建築物、特に、外壁の全面がガラスで覆われ該外壁が窓面としての機能も有する建築物や、ガラスにより構成された窓においては、採光性はよいものの、日光が直接入るために室内温度が上昇してしまい、特に夏においては、冷房のために空調に掛かるコストが膨大となる。このように日光が直接入射するのを防止するためにブラインドやカーテン等を設けるのが一般的であるが、ブラインドやカーテンでは、日光が直接照射することによる室温上昇を抑えることはできない。また、外壁材にガラスを用いた建築物においては、室内と室外との間にガラスが介在しているのみであるので、室内温度が外気温の影響を受けやすく、夏冬を問わず空調に掛かるコストが膨大となる。
【０００５】
また、ガラスにより構成された窓から日光を直接室内に入射させるのではなく、日光により従来とは趣（おもむき）の異なった採光を行なうことが希望されていた。
【０００６】
なお、上記特許文献１に示すタイルや特許文献２に示すタイルにおいては、タイルに設けられた開口部から採光されるのみであるので、窓面に使用するには不適である。
【０００７】
そこで、本発明は、外壁材にガラスを用いた建築物やガラスにより構成された窓において、日光が入射することにより室温の上昇を抑えて空調のコストを抑えることができるとともに、室内温度が外気温の影響を受けにくくでき、さらには、日光により従来とは趣の異なった採光を行うことができる建築部材を提供することを目的とするものである。
【課題を解決するための手段】
【０００８】
本発明は上記問題点を解決するために創作されたものであって、第１には、建築部材であって、板状のガラスにより形成された第１ガラス部と、板状のガラスにより形成された第２ガラス部と、該第１ガラス部と該第２ガラス部間に設けられたタイルで、透光性を有するタイルにより構成されたタイル部と、を有することを特徴とする。
【０００９】
この第１の構成の建築部材は、建築物の外壁材や窓材に用いる。本発明の建築部材を外壁材や窓材として用いることにより、建築部材にはタイルが設けられているので、このタイルにより、日光が直接室内に照射されることがなく、室温の上昇を抑えて空調のコストを抑えることができる。また、このタイルにより断熱効果を得ることができ室内温度が外気温の影響を受けにくくすることができる。なお、当然、第１ガラス部と第２ガラス部が設けられているので、これによっても、断熱効果を得て室内温度が外気温の影響を受けにくくすることができる。また、採光については、外部からの光が、第１ガラス部とタイルと第２ガラス部とを介して入射されるので、室内が暗くなることはない。特に、外部からの光は、タイルを通して室内に入射されるので、柔かい光、特に、和紙のような和風感のある光により採光することができ、従来とは異なった趣の採光を行うことができる。
【００１０】
また、第２には、上記第１の構成において、第１ガラス部と第２ガラス部の間には、第１ガラスと第２ガラス部とを連結するとともに、上記タイルを支持するための連結部が設けられていることを特徴とする。この連結部により、第１ガラス部と第２ガラス部とを連結させて一体化するとともに、タイルを支持することができる。
【００１１】
また、第３には、上記第１又は第２の構成において、上記タイルと上記第１ガラスの間には所定の隙間が形成され、上記タイルと上記第２ガラスの間には所定の隙間が形成されていることを特徴とする。このようにタイルと第１ガラス部及び第２ガラス部との間に隙間が形成されているので、この隙間の空気層によりより断熱効果を高めることができる。
【００１２】
また、第４には、上記第１から第３までのいずれかの構成において、上記連結部が断面略コ字状又は断面略Ｈ状を呈して溝部を有し、タイルを建築部材の側方からスライドさせることにより、タイルを該溝部内に配設可能となっていることを特徴とする。よって、タイルを第１ガラス層と第２ガラス層の間に容易に設けることが可能となる。
【００１３】
また、第５には、上記第１の構成において、上記タイルの一方の面に第１ガラス部が固着され、また、上記タイルの他方の面に第２ガラス部が固着されていることを特徴とする。
【００１４】
また、第６には、建築部材であって、板状のガラスにより形成されたガラス部と、該ガラス部の一方の面に設けられたタイルで、透光性を有するタイルにより構成されたタイル部と、を有することを特徴とする。
【００１５】
この第６の構成の建築部材は、建築物の外壁材や窓材に用いる。本発明の建築部材を外壁材や窓材として用いることにより、建築部材にはタイルが設けられているので、このタイルにより、日光が直接室内に照射されることがなく、室温の上昇を抑えて空調のコストを抑えることができる。また、このタイルにより断熱効果を得ることができ室内温度が外気温の影響を受けにくくすることができる。なお、当然ガラス部が設けられているので、これによっても、断熱効果を得て室内温度が外気温の影響を受けにくくすることができる。また、採光については、外部からの光が、ガラス部とタイルとを介して入射されるので、室内が暗くなることはない。特に、外部からの光は、タイルを通して室内に入射されるので、柔かい光、特に、和紙のような和風感のある光により採光することができ、従来とは異なった趣の採光を行うことができる。
【００１６】
また、第７には、上記第１から第６までのいずれかの構成において、上記タイル部は、複数の板状のタイルにより構成されていることを特徴とする。
【００１７】
また、第８には、上記第７の構成において、上記複数のタイルが、色彩及び／又は模様の異なるタイルにより構成されていることを特徴とする。よって、複数のタイルを色彩及び／又は模様の異なるタイルにより構成することにより、室内の壁面を色彩豊かに表現でき、また、タイルの色彩を異ならせることにより、趣の異なる採光を行うことができる。      
【００１８】
また、第９には、上記第１から第８までのいずれかの構成において、上記タイル部を構成する複数のタイルにおいて、隣接するタイルは隙間なく配設され、建築部材の一方の面から照射された光で他方の面側に至った光は、タイルを透過したものであることを特徴とする。これにより、日光が直接入射されることがないので、室温の上昇を抑えて空調のコストを抑えることができる。
【００１９】
また、第１０には、上記第１から第８までのいずれかの構成において、上記タイル部を構成する複数のタイルにおいて、隣接するタイル間に隙間が形成され、建築部材の一方の面から照射された光で他方の面側に至った光は、タイルを透過したものとタイルを透過しないものがあることを特徴とする。よって、該隙間からは直接日光を入射させることができるので、室内を明るくすることができる。また、直接入射された日光とタイルを通して入射した柔らかい光により、従来にない趣の採光をすることができる。
【００２０】
また、第１１には、建築物であって、第１又は２又は３又は４又は５又は６又は７又は８又は９又は１０の構成の建築部材が外壁材又は窓材に用いられていることを特徴とする。この建築物においては、建築部材にはタイルが設けられているので、このタイルにより、日光が直接室内に照射されることがなく、室温の上昇を抑えて空調のコストを抑えることができる。また、このタイルにより断熱効果を得ることができ室内温度が外気温の影響を受けにくくすることができる。なお、当然ガラス部が設けられているので、これによっても、断熱効果を得て室内温度が外気温の影響を受けにくくすることができる。また、採光については、外部からの光が、ガラス部とタイルとを介して入射されるので、室内が暗くなることはない。特に、外部からの光は、タイルを通して室内に入射されるので、柔かい光、特に、和紙のような和風感のある光により採光することができ、従来とは異なった趣の採光を行うことができる。
【００２１】
なお、上記各構成において、連結部とガラス部（第１ガラス部や第２ガラス部を含む）の固着は、透明性のある（透明であることがより好ましい）接着剤により接着するのが好ましい。また、特に、上記第６の構成とこれに従属する構成においては、ガラス部（第１ガラス部や第２ガラス部を含む）とタイルの固着は、透明性のある（透明であることがより好ましい）接着剤により接着するのが好ましい。また、上記ガラス部（第１ガラス部や第２ガラス部を含む）は強化ガラスとすることが好ましい。また、上記の各構成において、「タイル」を「セラミックス」としてもよい。また、上記の各構成において、「建築部材」を「建築用部材」又は「建材」としてもよい。
【発明の効果】
【００２２】
本発明に基づく建築部材や建築物によれば、建築部材を外壁材又は窓材に用いることにより、建築部材にはタイルが設けられているので、このタイルにより、日光が直接室内に照射されることがなく、室温の上昇を抑えて空調のコストを抑えることができる。また、このタイルにより断熱効果を得ることができ室内温度が外気温の影響を受けにくくすることができる。なお、当然ガラス部が設けられているので、これによっても、断熱効果を得て室内温度が外気温の影響を受けにくくすることができる。また、採光については、外部からの光が、ガラス部とタイルとを介して入射されるので、室内が暗くなることはない。特に、外部からの光は、タイルを通して室内に入射されるので、柔かい光、特に、和紙のような和風感のある光により採光することができ、従来とは異なった趣の採光を行うことができる。
【発明を実施するための最良の形態】
【００２３】
本発明においては、外壁材にガラスを用いた建築物やガラスにより構成された窓において、日光が入射することにより室温の上昇を抑えて空調のコストを抑えることができるとともに、室内温度が外気温の影響を受けにくくでき、さらには、日光により従来とは趣の異なった採光を行うことができる建築部材を提供するという目的を以下のようにして実現した。
【実施例１】
【００２４】
本発明に基づく建築部材（建築用部材、建材としてもよい。他においても同じ）Ａ１は、図１〜図３に示されるように構成され、ガラス部１０と、ガラス部２０と、連結部３０と、連結部３１と、連結部３２と、タイル４０とを有している。
【００２５】
ここで、ガラス部１０は、透明又は半透明の板状のガラスにより構成され、具体的には、強化ガラスにより構成されている。つまり、このガラス部１０は、透明性を有していて、光を透過する機能を有している。このガラス部１０は、建築部材Ａ１の外形と同じ大きさを有し、図１に示すように、正面視において、α１×α２の大きさを有している。
【００２６】
また、ガラス部２０は、ガラス部１０と同様の構成であり、透明又は半透明の板状のガラスにより構成され、具体的には、強化ガラスにより構成されている。このガラス部２０は、ガラス部１０と同じ大きさを有し、α１×α２の大きさを有している。
【００２７】
また、連結部３０は、ガラス部１０とガラス部２０との間に設けられ、断面略コ字状（断面コ字状としてもよい。他においても同じ）の細長状に形成されている。つまり、連結部３０は、帯板状の水平部３０ａと、該水平部３０ａの正面側（Ｙ１側）の端部から下方に垂下した帯板状の垂直部３０ｂと、該水平部３０ａの背面側（Ｙ２側）の端部から下方に垂下した帯板状の垂直部３０ｃとを有し、断面略コ字状を呈している。この連結部３０の長さは、ガラス部１０、２０の横方向の長さと略同一（同一としてもよい）に形成されている。なお、垂直部３０ｂと垂直部３０ｃ間の距離は、タイル４０を設けることができる程度の幅に形成されている。この連結部３０は、図１に示すように、建築部材Ａ１の上端位置に横方向に設けられている。なお、連結部３０は、コ字状の開口部を下側に向けて設けられている（つまり、垂直部３０ｂ、３０ｃを水平部３０ａに対して下側にして設けられている）これにより、連結部３０の下側には溝部が形成されている。なお、この連結部３０は、アルミニウム等の金属又は透明又は半透明のガラスにより全体に一体に形成され、ガラス部１０やガラス部２０に固着されている。例えば、連結部３０は、ガラス部１０やガラス部２０とは、接着剤を介して接着して固着されている。なお、ガラス部１０、２０が透明性を有しているので、接着剤は透明性のあるものが好ましい（透明であることがより好ましい）。
【００２８】
また、連結部３１は、上記連結部３０と同様の構成であるが、コ字状の開口部を上側に向けて設けられ（つまり、垂直部３０ｂ、３０ｃを水平部３０ａに対して上側にして設けられている）（これにより連結部３１の上側には溝部が形成されている）、建築部材Ａ１の下端位置に横方向に設けられている点が異なる。つまり、連結部３１も、ガラス部１０とガラス部２０との間に設けられ、断面略コ字状の細長状に形成されていて、連結部３１の長さは、ガラス部１０、２０の横方向の長さと略同一（同一としてもよい）に形成されている。この連結部３１も、アルミニウム等の金属又は透明又は半透明のガラスにより全体に一体に形成され、ガラス部１０やガラス部２０に固着されている。例えば、連結部３１は、ガラス部１０やガラス部２０とは接着剤を介して接着して固着されている。なお、ガラス部１０、２０が透明性を有しているので、接着剤は透明性のあるものが好ましい（透明であることがより好ましい）。
【００２９】
また、連結部３２は、ガラス部１０とガラス部２０との間に設けられ、断面略Ｈ状（断面Ｈ字状、断面略Ｈ字状、断面Ｈ字状としてもよい。他においても同じ）の細長状に形成されている。つまり、連結部３２は、帯板状の水平部３２ａと、該水平部３２ａの正面側（Ｙ１側）の端部に接続された帯板状の垂直部３２ｂと、該水平部３２ａの背面側（Ｙ２側）の端部に接続された帯板状の垂直部３２ｃとを有していて、断面略Ｈ状を呈している。つまり、水平部３２ａは、垂直部３２ｂ、３２ｃの上下方向における略中間位置に接続されていて、垂直部３２ｂ、３２ｃは、水平部３２ａの上方及び下方に形成されている。これにより、連結部３２の上側と下側には溝部が形成されている。この連結部３２の長さは、ガラス部１０、２０の横方向の長さと略同一（同一としてもよい）に形成されている。なお、垂直部３２ｂと垂直部３２ｃ間の距離は、タイル４０を設けることができる程度の幅に形成されている。
【００３０】
この連結部３２は、図１に示すように、上端に設けられた連結部３０と下端に設けられた連結部３１の間に所定の間隔を介して横方向に設けられている。つまり、上下方向に互いに隣接する連結部同士（つまり、連結部３０と連結部３２（及び連結部３２と連結部３２））とは、等間隔に形成されている。例えば、上端位置の連結部３０の水平部３０ａの上下方向の中心位置と、その下方向に隣接する連結部３２の水平部３２ａの上下方向の中心位置間の距離β１は、互いに隣接する連結部３２の水平部３２ａの上下方向の中心位置間の距離β１と同じに形成されている。また、下端位置の連結部３１の水平部３０ａの上下方向の中心位置と、その上方向に隣接する連結部３２の水平部３２ａの上下方向の中心位置間の距離も該距離β１と同じに形成されている。これらにより、隣接する連結部間には、上下方向の同じ長さのタイルを嵌装させることができるようになっている。なお、図１に示す例では、連結部３２は７つ設けられている。なお、この連結部３２は、アルミニウム等の金属又は透明又は半透明のガラスにより全体に一体に形成され、ガラス部１０やガラス部２０に固着されている。例えば、連結部３２は、ガラス部１０やガラス部２０とは接着剤を介して接着して固着されている。なお、ガラス部１０、２０が透明性を有しているので、接着剤は透明性のあるものが好ましい（透明であることがより好ましい）。なお、ガラス部１０とガラス部２０とは、互いに平行に設けられている。
【００３１】
また、タイル４０は、図１〜図３に示すように、方形状の平板状を呈し、上下方向に隣接する連結部間に嵌装して設けられている。なお、上下方向に隣接する連結部間には、タイルは横方向に複数設けられていて、図１に示す例では、６つのタイル４０が設けられている。また、図１に示す例では、上下方向には８つのタイルが設けられているので、図１に示す建築部材Ａ１においては、計４８個のタイルが設けられている。なお、上下方向に設けられるタイルの数は図１に示す例には限られず任意である。また、タイルの形状も図１に示すものには限られず任意である。これら複数のタイル４０により上記タイル部が構成される。
【００３２】
なお、建築部材Ａ１に用いられるタイル４０は、透光性を有するタイル（セラミックス）であり、タイル４０の一方の面から光を照射することにより、光がタイル４０を透過して他方の面に光が到達するようになっている。この透光性を有するタイルは、透光性のあるタイル原料を用いて高温焼成して磁器化又は石器化して厚さ３ｍｍ〜５ｍｍ程度に乾式成形したものである。また、タイル４０を、例えば、特開２００４−１６８５６３号に示す透光性耐火タイルのように廃ガラスを用いることにより透光性を有するものや、特開平５−２７９５０９号に示すように、透光性樹脂に所要形状の石材を混入し透過性を有する状態で板状に成形したものにより構成してもよい。
【００３３】
また、タイル４０は、図２に示すように、上側及び下側に連結部に嵌装され、また、横方向に隣接するタイル４０同士は互いに接した状態で配設されているので、ガラス部１０、２０の面の全体に亘って、タイル４０、連結部３０、３１、３２のいずれかが設けられ、タイル４０と連結部３０、３１、３２とからなる構成を中間部材とした場合には、ガラス部１０、２０の全体に亘って中間部材が設けられていることになる。これにより、建築部材Ａ１の正面側からはガラス部２０を視認できず、また、建築部材Ａ１の背面側からはガラス部１０を視認できず、よって、建築部材Ａ１の一方の面から光が照射された場合でも他方の面側にはタイル４０を透過して入射されることになる。
【００３４】
また、タイル４０の色彩及び／又は模様は、複数のタイル４０において同じにしてもよいが、異なる色彩及び／又は模様を有する複数種類のタイルによって建築部材Ａ１におけるタイル４０を構成してもよい。これにより、建築部材Ａ１や複数の建築部材Ａ１において、色彩及び／又は模様の異なるタイルを用いることにより全体として模様を表現することが可能となる。例えば、建築部材Ａ１において、複数のタイルを色彩の異なるタイルにより構成することにより、全体として模様を構成することができる。
【００３５】
以上のように、建築部材Ａ１は、２つのガラス部１０、２０間に透光性を有するタイル４０が複数配設されたものであるといえる。なお、ガラス部１０とガラス部２０とタイル４０とは、互いに平行に設けられているといえる。
【００３６】
なお、上記連結部３０、３１、３２の溝部の側方部分は所定の厚みを有しているので、これにより、タイル４０とガラス部１０、２０間には所定の隙間が形成されていることになる。これにより、タイル４０とガラス部１０、２０が基本的に接することなく設けられている。また、タイル４０を連結部材に支持させるに当たっては、連結部材の側方からタイル４０をスライドさせることにより連結部間に嵌装させることができる。これにより、建築部材Ａ１の製造に当たっては、タイル４０の位置を所望の位置にすることができ、また、色彩及び／又は模様の異なるタイルを所望の態様に配設することができる。
【００３７】
上記の構成の建築部材Ａ１は、外壁材や窓材として用いる。建築部材Ａ１を外壁材として用いた例を示すと図４に示すようになり、建築物Ｔ１の外壁材として建築部材Ａ１を用いる。つまり、従来においては、図４における建築部材Ａ１の箇所にはガラス材が設けられていた（これが、外壁の全面がガラスで覆われた建築物であるといえる）が、このガラス材に代わって建築部材Ａ１を用いる。なお、図４において、外壁材としての建築部材Ａ１の右側が室外空間であり、建築部材Ａ１の左側が室内空間を示す。
【００３８】
また、建築部材Ａ１を窓材として用いた場合の例を示すと図５に示すようになり、建築物Ｔ２の窓材として建築部材Ａ１を用いる。つまり、建築物Ｔ２には、外壁としての壁部Ｋが設けられ、上下方向の外壁間に設けられる窓材として建築部材Ａ１を用いる。すなわち、従来においては、図５における建築部材Ａ１の箇所には窓材としてのガラス材が設けられていたが、このガラス材に代わって建築部材Ａ１を用いるのである。なお、図５において、外壁材としての建築部材Ａ１の右側が室外空間であり、建築部材Ａ１の左側が室内空間を示す。
【００３９】
このように外壁材や窓材として建築部材Ａ１を用いることにより、建築部材Ａ１にはタイル４０が設けられているので、このタイル４０により、日光が直接室内に照射されることがなく、室温の上昇を抑えて空調のコストを抑えることができる。また、このタイル４０により断熱効果を得ることができ室内温度が外気温の影響を受けにくくすることができる。なお、当然、ガラス部１０とガラス部２０が設けられているので、これによっても、断熱効果を得て室内温度が外気温の影響を受けにくくすることができる。特に、タイル４０とガラス部１０、２０間には所定の隙間が形成されているので、タイル４０とガラス部１０、２０との間の隙間により断熱効果を高めることができる。また、このタイル４０により紫外線を遮断することが可能となる。また、採光については、外部からの光が、ガラス部２０とタイル４０とガラス部１０とを介して入射されるので、室内が暗くなることはない。特に、外部からの光は、タイル４０を通して室内に入射されるので、柔かい光、特に、和紙のような和風感のある光により採光することができ、従来とは異なった趣の採光を行うことができる。
【００４０】
なお、上記の説明においては、タイル４０を横方向に隙間なく配設するとしたが、横方向に隣接するタイル４０間に隙間を設けて、その隙間から日光が直接入射するようにしてもよい。このようにすることにより、室内を明るくすることができ、また、日光の直接入射により室内を暖かくすることができる。
【実施例２】
【００４１】
次に、実施例２に基づく建築部材について説明する。実施例２に基づく建築部材Ａ２は、図６、図７に示されるように構成され、ガラス部１０と、ガラス部２０と、連結部１３０と、タイル１４０とを有している。
【００４２】
ここで、ガラス部１０は、上記実施例１におけるガラス部１０と同様の構成である。すなわち、ガラス部１０は、透明又は半透明の板状のガラス部材により構成され、具体的には、強化ガラスにより構成されている。このガラス部１０は、図１に示すように、正面視において、α１×α２の大きさを有している。
【００４３】
また、ガラス部２０は、上記実施例１におけるガラス部２０と同様の構成であり、透明又は半透明の板状のガラス部材により構成され、具体的には、強化ガラスにより構成されている。このガラス部２０は、ガラス部１０と同じ大きさを有し、α１×α２の大きさを有している。
【００４４】
また、連結部１３０は、ガラス部１０とガラス部２０との間に設けられ、断面略コ字状の細長状に形成されている。つまり、連結部１３０は、帯板状の水平部１３０ａと、該水平部１３０ａの正面側（Ｙ１側）の端部から上方に立設した帯板状の垂直部１３０ｂと、該水平部１３０ａの背面側（Ｙ２側）の端部から上方に立設した帯板状の垂直部１３０ｃとを有し、断面略コ字状を呈している。この連結部１３０の長さは、ガラス部１０、２０の横方向の長さと略同一（同一としてもよい）に形成されている。なお、垂直部１３０ｂと垂直部１３０ｃ間の距離は、タイル１４０を設けることができる程度の幅に形成されている。この連結部１３０は、図６、図７に示すように、建築部材Ａ１の下端位置に設けられているとともに、複数の連結部１３０が上下方向に所定の間隔（特に、一定の間隔）を介して配設されている。つまり、上下方向に隣接する連結部１３０の下端位置間の距離β１１は同じに形成されていて、最上位置の連結部１３０とガラス部１０、２０の上端との間の距離も同じくβ１１となっている（図７参照）。これらの連結部１３０は、コ字状の開口部を上側に向けて設けられている。これにより、連結部１３０の上側には溝部が形成されている。なお、これらの連結部１３０は、アルミニウム等の金属又は透明又は半透明のガラスにより一体に形成され、ガラス部１０やガラス部２０に固着されている。例えば、連結部１３０は、ガラス部１０やガラス部２０とは接着剤を介して接着して固着されている。なお、ガラス部１０、２０が透明性を有しているので、接着剤は透明性のあるものが好ましい（透明であることがより好ましい）。なお、ガラス部１０とガラス部２０とは、互いに平行に設けられている。
【００４５】
また、タイル１４０は、形状と大きさが異なる以外は実施例１におけるタイル４０と同じ構成であり、方形状の平板状を呈し、連結部１３０に嵌装して設けられている。つまり、タイル１４０を連結部１３０の溝部内に設置することにより、タイル１４０が配設されている。このタイル１４０の縦方向の長さは、上下方向に隣接する連結部１３０間の距離β１１の約半分に形成されていて、これにより、ガラス部１０、２０の面においては、タイル１４０や連結部１３０が設けられていない領域があり、その領域においては、建築部材Ａ２の正面側からもガラス部２０を視認でき、また、建築部材Ａ２の背面側からもガラス部１０を視認でき、よって、建築部材Ａ２の一方の面側から光が照射された場合には、光は、タイル１４０や連結部１３０が設けられていない領域から他方の面側にタイル１４０を透過せず直接照射されることになる。なお、タイルの上下方向の幅は、距離β１１の約半分であるとしたが、ある連結部１３０の下端から該連結部１３０の直下に位置する連結部１３０の溝部内の内底面までの距離（この距離は、距離β１１よりも若干短いことになる）よりも短く形成されていれば、タイル１４０や連結部１３０が設けられていない領域から光はタイル１４０や連結部１３０に遮られることなく、直接入射されることになる。なお、タイル１４０は、横方向に３つ設けられ、縦方向に８つ設けられて、計２４個設けられているが、上下に設けられるタイルの数はこれに限られず任意である。また、タイルの形状の図６に示すものには限られず任意である。これら複数のタイル１４０により上記タイル部が構成される。
【００４６】
なお、このタイル１４０も、上記実施例１の場合と同様に、透光性を有するタイル（セラミックス）であり、タイル１４０の一方の面から光を照射することにより、光がタイル１４０を透過して他方の面に光が到達するようになっている。この透光性を有するタイルは、透光性のあるタイル原料を用いて高温焼成して磁器化又は石器化して厚さ３ｍｍ〜５ｍｍ程度に乾式成形したものである。また、タイル１４０を、例えば、特開２００４−１６８５６３号に示す透光性耐火タイルのように廃ガラスを用いることにより透光性を有するものや、特開平５−２７９５０９号に示すように、透光性樹脂に所要形状の石材を混入し透過性を有する状態で板状に成形したものにより構成してもよい。
【００４７】
また、タイル１４０の色彩及び／又は模様は、複数のタイル１４０において同じにしてもよいが、異なる色彩及び／又は模様を有する複数種類のタイルによって建築部材Ａ２におけるタイル１４０を構成してもよい。これにより、建築部材Ａ２や複数の建築部材Ａ２において、色彩及び／又は模様の異なるタイルを用いることにより全体として模様を表現することが可能となる。例えば、建築部材Ａ２において、複数のタイルを色彩の異なるタイルにより構成することにより、全体として模様を構成することができる。
【００４８】
以上のように、建築部材Ａ２は、２つのガラス部１０、２０間に透光性を有するガラス１４０が複数配設されたものであるといえる。なお、ガラス部１０とガラス部２０とタイル１４０とは、互いに平行に設けられているといえる。なお、タイル１４０をガラス部１０とガラス部２０のいずれかの側に立てかけるようにして設けてもよい。
【００４９】
なお、上記連結部１３０の溝部の側方部分は所定の厚みを有しているので、これにより、タイル１４０とガラス部１０、２０間には所定の隙間が形成されていることになる。これにより、タイル１４０とガラス部１０、２０が基本的に接することなく設けられている。また、タイル１４０を連結部材に支持させるに当たっては、連結部材の側方からタイル１４０をスライドさせることにより連結部間に嵌装させることができる。これにより、建築部材Ａ２の製造に当たっては、タイル１４０の位置を所望の位置にすることができ、また、色彩及び／又は模様の異なるタイルを所望の態様に配設することができる。
【００５０】
上記の構成の建築部材Ａ２の使用方法は、実施例１の場合と同様である。すなわち、建築部材Ａ２を外壁材や窓材として用いる。建築部材Ａ２を外壁材として用いた例を示すと図４に示すようになり、建築物Ｔ１の外壁材として建築部材Ａ２を用いる。
【００５１】
また、建築部材Ａ２を窓材として用いた場合の例を示すと図５に示すようになり、建築物Ｔ２の窓材として建築部材Ａ２を用いる。
【００５２】
このように外壁材や窓材として建築部材Ａ２を用いることにより、建築部材Ａ２にはタイル１４０が設けられているので、このタイル１４０により、日光がタイル１４０や連結部１３０により遮られる範囲については直接室内に照射されることがなく、室温の上昇を抑えて空調のコストを抑えることができる。また、このタイル１４０により断熱効果を得ることができ室内温度が外気温の影響を受けにくくすることができる。なお、当然、ガラス部１０とガラス部２０が設けられているので、これによっても、断熱効果を得て室内温度が外気温の影響を受けにくくすることができる。また、このタイル１４０により紫外線を遮断することが可能となる。また、採光については、外部からの光が、ガラス部２０とタイル１４０とガラス部１０とを介して入射されるので、室内が暗くなることはない。特に、外部からの光は、タイル１４０を通して室内に入射されるので、柔かい光、特に、和紙のような和風感のある光により採光することができ、従来とは異なった趣の採光を行うことができる。また、実施例２の建築部材Ａ２においては、タイル１４０や連結部１３０が設けられていない領域においては、直接日光を入射させることができるので、実施例１の場合に比べて室内を明るくすることができる。また、直接入射された日光とタイル１４０を通して入射した柔らかい光により、従来にない趣の採光をすることができる。
【実施例３】
【００５３】
次に、実施例３に基づく建築部材について説明する。実施例３に基づく建築部材Ａ３は、図８、図９に示されるように構成され、ガラス部１０と、タイル２４０とを有している。
【００５４】
ここで、ガラス部１０は、上記実施例１におけるガラス部１０と同様の構成である。すなわち、ガラス部１０は、透明又は半透明の板状のガラス部材により構成され、具体的には、強化ガラスにより構成されている。このガラス部１０は、図８に示すように、正面視において、α１×α２の大きさを有している。
【００５５】
また、タイル２４０は、形状と大きさが異なる以外は実施例１におけるタイル４０と同じ構成であり、方形状の平板状を呈し、ガラス部１０の一方の面に固着されている。つまり、タイル２４０は、ガラス部１０の一方の面を被覆するように縦方向と横方向に複数設けられ、図８に示す例では、横方向に６つ、縦方向に８つ設けられ、全体に計４８個設けられている。これにより、建築部材Ａ３の正面側からはガラス部１０は視認できず、よって、建築部材Ａ３の一方の面から光が照射された場合でもタイル２４０に遮られて他方の面側には直接には照射されない。なお、タイル２４０のガラス部１０への固着に際しては、接着剤を介して固着されている。例えば、タイル２４０のガラス部１０側に接着剤を全面塗布してガラス部１０に接着されている。ガラス部１０が透明性を有しているので、接着剤は透明性のあるものが好ましい（透明であることがより好ましい）。これら複数のタイル２４０により上記タイル部が構成される。
【００５６】
なお、このタイル２４０も、上記実施例１、実施例２の場合と同様に、透光性を有するタイル（セラミックス）であり、タイル２４０の一方の面から光を照射することにより、光がタイル２４０を透過して他方の面に光が到達するようになっている。この透光性を有するタイルは、透光性のあるタイル原料を用いて高温焼成して磁器化又は石器化して厚さ３ｍｍ〜５ｍｍ程度に乾式成形したものである。また、タイル２４０を、例えば、特開２００４−１６８５６３号に示す透光性耐火タイルのように廃ガラスを用いることにより透光性を有するものや、特開平５−２７９５０９号に示すように、透光性樹脂に所要形状の石材を混入し透過性を有する状態で板状に成形したものにより構成してもよい。
【００５７】
また、タイル２４０の色彩及び／又は模様は、複数のタイル２４０において同じにしてもよいが、異なる色彩及び／又は模様を有する複数種類のタイルによって建築部材Ａ３におけるタイル２４０を構成してもよい。これにより、建築部材Ａ３や複数の建築部材Ａ３において、色彩及び／又は模様の異なるタイルを用いることにより全体として模様を表現することが可能となる。例えば、建築部材Ａ３において、複数のタイルを色彩の異なるタイルにより構成することにより、全体として模様を構成することができる。
【００５８】
以上のように、建築部材Ａ３は、ガラス部１０の一方の面に透光性を有するタイル２４０が複数配設されたものであるといえる。
【００５９】
上記の構成の建築部材Ａ３の使用方法は、実施例１や実施例２の場合と同様である。すなわち、建築部材Ａ３を外壁材や窓材として用いる。建築部材Ａ３を外壁材として用いた例を示すと図４に示すようになり、建築物Ｔ１の外壁材として建築部材Ａ３を用いる。
【００６０】
また、建築部材Ａ３を窓材として用いた場合の例を示すと図５に示すようになり、建築物Ｔ２の窓材として建築部材Ａ３を用いる。
【００６１】
このように外壁材や窓材として建築部材Ａ３を用いることにより、建築部材Ａ３にはタイル２４０が設けられているので、このタイル２４０により、日光が直接室内に照射されることがなく、室温の上昇を抑えて空調のコストを抑えることができる。また、このタイル２４０により断熱効果を得ることができ室内温度が外気温の影響を受けにくくすることができる。なお、当然、ガラス部１０が設けられているので、これによっても、断熱効果を得て室内温度が外気温の影響を受けにくくすることができる。また、採光については、外部からの光が、ガラス部１０とタイル２４０とを介して入射されるので、室内が暗くなることはない。特に、外部からの光は、タイル２４０を通して室内に入射されるので、柔かい光、特に、和紙のような和風感のある光により採光することができ、従来とは異なった趣の採光を行うことができる。
【００６２】
なお、上記の説明においては、タイル２４０を横方向と縦方向に隙間なく配設するとしたが、横方向に隣接するタイル２４０間に隙間を設けたり、縦方向に隣接するタイル２４０間に隙間を設けて、その隙間から日光が直接入射するようにしてもよい。このようにすることにより、室内を明るくすることができ、また、日光の直接入射により室内を暖かくすることができる。
【００６３】
なお、上記実施例３の説明においては、ガラス部１０の一方の面にタイル２４０を設けたものであるとして説明したが、図１０、図１１に示す建築部材Ａ４の構成としてもよい。すなわち、建築部材Ａ４は、タイル２４０のガラス部１０が設けられている側とは反対側の面にもガラス部１０と同様の構成のガラス部２０を設けるようにしてもよい。その場合には、ガラス部２０とタイル２４０とは、透明性のある（透明であることがより好ましい）接着剤を介して固着する。なお、この建築部材Ａ４におけるガラス部１０とタイル２４０の固着も透明性のある（透明であることがより好ましい）接着剤を介して行われている。例えば、タイル２４０のガラス部１０側とガラス部２０側に接着剤を全面塗布してガラス部１０に接着することにより固着されている。
【００６４】
このように２つのガラス部間にタイルを接着剤により接着して固着する構成とすることにより、実施例１と同様の構成とすることができ、外壁材や窓材として建築部材Ａ４を用いることにより、建築部材Ａ４にはタイル２４０が設けられているので、このタイル２４０により、日光が直接室内に照射されることがなく、室温の上昇を抑えて空調のコストを抑えることができる。また、このタイル２４０により断熱効果を得ることができ室内温度が外気温の影響を受けにくくすることができる。なお、当然、ガラス部１０やガラス部２０が設けられているので、これによっても、断熱効果を得て室内温度が外気温の影響を受けにくくすることができる。また、このタイル２４０により紫外線を遮断することが可能となる。また、採光については、外部からの光が、ガラス部２０とタイル２４０とガラス部１０とを介して入射されるので、室内が暗くなることはない。特に、外部からの光は、タイル２４０を通して室内に入射されるので、柔かい光、特に、和紙のような和風感のある光により採光することができ、従来とは異なった趣の採光を行うことができる。
【００６５】
なお、上記の説明においては、タイル２４０を横方向と縦方向に隙間なく配設するとしたが、横方向に隣接するタイル２４０間に隙間を設けたり、縦方向に隣接するタイル２４０間に隙間を設けて、その隙間から日光が直接入射するようにしてもよい。このようにすることにより、室内を明るくすることができ、また、日光の直接入射により室内を暖かくすることができる。
【図面の簡単な説明】
【００６６】
【図１】本発明の実施例１における建築部材の構成を示す正面図である。
【図２】本発明の実施例１における建築部材の構成を示す要部側面図である。
【図３】本発明の実施例１における建築部材の構成を示す要部斜視図である。
【図４】建築部材の使用状態を示す説明図である。
【図５】建築部材の使用状態を示す説明図である。
【図６】本発明の実施例２における建築部材の構成を示す正面図である。
【図７】本発明の実施例２における建築部材の構成を示す要部側面図である。
【図８】本発明の実施例３における建築部材の構成を示す正面図である。
【図９】本発明の実施例３における建築部材の構成を示す要部側面図である。
【図１０】本発明の実施例４における建築部材の構成を示す一部破断正面図である。
【図１１】本発明の実施例４における建築部材の構成を示す要部側面図である。
【符号の説明】
【００６７】
Ａ１、Ａ２、Ａ３、Ａ４  建築部材
１０、２０  ガラス部
３０、３１、３２、１３０  連結部
４０、１４０、２４０  タイル
【図１】
2006249692.tif 000003
【図２】
2006249692.tif 000004
【図３】
2006249692.tif 000005
【図４】
2006249692.tif 000006
【図５】
2006249692.tif 000007
【図６】
2006249692.tif 000008
【図７】
2006249692.tif 000009
【図８】
2006249692.tif 000010
【図９】
2006249692.tif 000011
【図１０】
2006249692.tif 000012
【図１１】
2006249692.tif 000013